【事件の表示】
　特願２０１４−１７６７１４「移動局装置、基地局装置および通信方法」拒絶査定不服審判事件〔平成２７年　１月２２日出願公開、特開２０１５−　１５７４２、請求項の数（８）〕について、次のとおり審決する。
【結　論】
　原査定を取り消す。
　本願の発明は、特許すべきものとする。
【理　由】
第１　手続の経緯
　本願は、平成２２年６月１０日に出願した特願２０１０−１３２６３０号の一部を平成２６年９月１日に新たな出願としたものであって、平成２７年４月９日付けで拒絶理由が通知され、同年６月１２日付けで手続補正がされたが、同年９月１５日付けで拒絶査定（以下、「原査定」という。）がされ、これに対し、平成２７年１２月２２日に拒絶査定不服審判が請求されると同時に手続補正がされ、その後、当審において平成２８年７月１日付けで拒絶理由が通知され、同年９月５日付けで意見書が提出され、同年１１月１７日付けで拒絶理由（以下、「当審拒絶理由」という。）が通知され、平成２９年１月１０日付けで手続補正がされたものである。
第２　本願発明
　本願の請求項１−８に係る発明は、平成２９年１月１０日付けの手続補正により補正された特許請求の範囲の請求項１−８に記載された事項により特定されるものと認められる。
　本願の請求項１に係る発明（以下、「本願発明」という。）は以下のとおりである。
「【請求項１】
　上位層の信号を介して、サウンディング参照信号に関する、アンテナポートに関するパラメータおよびサイクリックシフトに関するパラメータをそれぞれ含む複数のパラメータセットを受信し、
　物理下りリンク制御チャネルを介して、サウンディング参照信号リクエストフィールドを含む下りリンク制御情報フォーマットを受信する受信部と、
　前記サウンディング参照信号リクエストフィールドの値に基づくサウンディング参照信号を送信する送信部と、
　を備え、
　前記送信部は、
　前記サウンディング参照信号リクエストフィールドの値に基づいて、前記複数のパラメータセットのうちの１つを選択し、選択した前記複数のパラメータセットのうちの１つを用いて前記サウンディング参照信号を生成して送信する
　移動局装置。」
第３　原査定の理由について
１．原査定の理由の概要
　原査定の理由の概要は、
（１）本願発明は、その出願前に日本国内又は外国において、頒布された国際公開第２０１０／０３６０５３号（以下、「刊行物」という。）に記載された発明であるから、特許法第２９条第１項第３号の規定により特許を受けることができない。
（２）本願発明は、刊行物に記載された発明に基いて、その出願前にその発明の属する技術の分野における通常の知識を有する者が容易に発明できたものであるから、特許法第２９条第２項の規定により特許を受けることができない、というものである。
２．原査定の理由の判断
（１）刊行物の記載事項
　刊行物には、以下の事項が記載されている。
ア．「[7] PUSCH transmission or PDSCH reception by a UE may be initiated by the reception of a corresponding Scheduling Assignment (SA) at the UE, which was transmitted by the Node B through a Downlink Control Information (DCI) format in the PDCCH. The DCI format may inform a UE about a data packet transmission by the Node B in the PDSCH (DL SA), or about a data packet transmission to the Node B (UL SA) in the PUSCH. The Node B is assumed to separately code and transmit each DCI format conveying a SA.」
（当審訳：
［７］ＵＥによるＰＵＳＣＨ送信又はＰＤＳＣＨ受信は、ＵＥでの対応するスケジューリング割当て（ＳＡ）を受信することにより開始されることができ、これは、ノードＢによりＰＤＣＣＨでダウンリンク制御情報（ＤＣＩ）フォーマットを通して送信されたのである。ＤＣＩフォーマットは、ＰＤＳＣＨ（ダウンリンクＳＡ）でノードＢによるデータパケット送信に関して又はＰＵＳＣＨでノードＢ（アップリンクＳＡ）へのデータパケット送信に関してＵＥに通知することができる。ノードＢは、ＳＡを伝達する各ＤＣＩフォーマットを個別的に符号化し送信するものと仮定する。）（当審訳は、刊行物の日本語の公報である特表２０１２−５０３４０６号公報の記載によった。以下同様。）（日本語の公報の【０００８】を参照。）
イ．「[35] The SRS transmission parameters are assumed to be configured for each UE by the Node B through higher layer signaling, for example, through the MAC layer or the Radio Resource Control (RRC) layer, and remain valid until re-configured again through higher layer signaling. These SRS transmission parameters may include:
[36] the SRS transmission BW
[37] the SRS starting BW position
[38] the SRS transmission comb (if the SRS has a comb spectrum)
[39] the SRS CS
[40] the SRS transmission period (for example, one SRS transmission every 5 sub-frames)
[41] the starting sub-frame of SRS transmission (for example, the first sub-frame in a set of 1000 sub-frames)
[42] whether SRS hopping is enabled (SRS transmission hops in the operating BW or not).」
（当審訳：
［３５］ＳＲＳ送信パラメータは、上位レイヤーシグナリング、例えば、ＭＡＣレイヤー又は無線リソース制御（ＲＲＣ）レイヤーを通してノードＢにより各ＵＥに対して構成され、上位レイヤーシグナリングを通して再構成されるまで有効なものに保持されると仮定する。これらのＳＲＳ送信パラメータは、
［３６］ＳＲＳ送信帯域幅、
［３７］ＳＲＳ開始帯域幅位置、
［３８］ＳＲＳ送信コム（ＳＲＳがコムスペクトルを有する場合）、
［３９］ＳＲＳ  ＣＳ、
［４０］ＳＲＳ送信期間（例えば、５個のサブフレームごとの１つのＳＲＳ送信）、
［４１］ＳＲＳ送信の開始サブフレーム（例えば、１０００個のサブフレームのセットでの第１のサブフレーム）、
［４２］及びＳＲＳホッピングがイネーブルされるか否か（ＳＲＳ送信は、動作帯域幅でホッピングするか否か）を含む。）（日本語の公報の【００３４】を参照。）
ウ．「[72] A first method to activate or deactivate SRS transmissions using a UL SA DCI format includes a 1-bit SRS Activation IE. The UE, upon reception of the UL SA DCI format, examines the value of the SRS Activation IE. For example, SRS Activation = 0 may indicate deactivation of an existing SRS transmission or to maintain the absence of SRS transmissions. SRS Activation = 1 may indicate activation of SRS transmissions or maintain an existing SRS transmission using previously assigned  parameters through higher layer signaling. Activated SRS transmissions may occur once or indefinitely until disabled. Activated SRS transmissions occurring once can be in a UL CC without configured SRS transmissions.
[73] If the UE has more than one transmitter antenna, SRS activation may apply to only a subset of these antennas. A first method for indicating activation of multiple antenna subsets is through explicit signaling. The number of bits in the SRS Activation IE should be such that they can address all possible antenna subsets. For example, for a UE with two or four transmitter antennas, a 2-bit SRS Activation IE can be interpreted by the UE as in Table 3. The same principle can be extended to a larger number of UE transmitter antennas.
[74] Table 3: Explicit SRS Activation.
[75]
[76] The UE action is illustrated in FIG. 9, assuming that there are 4 UE transmitter antennas. The UE, upon the signal reception 910, decodes the UL SA DCI format in block 920, and examines the value of the SRS Activation IE in block 930. If the value is 00, the SRS is not activated (or an active SRS is deactivated) as shown in block 940. If the value is 01, the UE begins SRS transmission, using previously configured parameters, from antenna 1 and antenna 2, as shown in block 950. If the value is 10, the UE begins SRS transmission, using previously configured parameters, from antenna 3 and antenna 4, as shown in block 960. If the value is 11, the UE begins SRS transmission, using previously configured parameters, from all four antennas, as shown in block 970.」
（当審訳：
［７２］アップリンクＳＡ  ＤＣＩフォーマットを用いてＳＲＳ送信の活性化又は非活性化を行う第１の方法は、１ビットの“ＳＲＳ活性化”ＩＥを含む。ＵＥは、アップリンクＳＡ  ＤＣＩフォーマットを受信する時、“ＳＲＳ活性化”ＩＥの値を検査する。例えば、“ＳＲＳ活性化”＝０は、現存するＳＲＳ送信の非活性化を示すか、又はＳＲＳ送信の不在を保持することを示すことができる。“ＳＲＳ活性化”＝１は、ＳＲＳ送信の活性化を示すか、又は上位レイヤーシグナリングを通して前に割り当てられたパラメータを用いて現存するＳＲＳ送信を保持することを示すことができる。活性化されたＳＲＳ送信は、ディスエーブルされるまで１回又は継続して発生し得る。１回発生する活性化されたＳＲＳ送信は、ＳＲＳ送信が構成されていないアップリンクＣＣに存在し得る。
［７３］ＵＥが１つ以上の送信器アンテナを有している場合に、ＳＲＳ活性化は、これらのアンテナのサブセットだけに適用され得る。多重アンテナサブセットの活性化を示すための第１の方法は、明示的なシグナリングを通して行われる。“ＳＲＳ活性化”ＩＥでのビットの個数は、可能なすべてのアンテナサブセットをアドレッシングすることができなければならない。例えば、２個又は４個の送信器アンテナを有するＵＥにおいて、表３に示すように、２ビット“ＳＲＳ活性化”ＩＥは、ＵＥにより解釈されることができる。同一の原理は、ＵＥ送信器アンテナの個数がさらに大きい場合に拡張されることができる。
［７４］表３：ＳＲＳ活性化の明示
［７５］
［７６］ＵＥ動作を図９に示し、ここでは、４個のＵＥ送信器アンテナが存在すると仮定する。信号受信９１０を行うと、ＵＥは、ブロック９２０でアップリンクＳＡ  ＤＣＩフォーマットをデコーディングし、ブロック９３０で“ＳＲＳ活性化”ＩＥの値を検査する。この値が００である場合に、ＳＲＳは、ブロック９４０に示すように活性化されない（又は活性化ＳＲＳは非活性化される）。この値が０１である場合に、ブロック９５０に示すように、ＵＥは、前に構成されたパラメータを用いてアンテナ１及びアンテナ２からＳＲＳ送信を開始する。この値が１０である場合に、ブロック９６０に示すように、ＵＥは、前に構成されたパラメータを用いてアンテナ３及びアンテナ４からＳＲＳ送信を開始する。この値が１１である場合に、ブロック９７０に示すように、ＵＥは、前に構成されたパラメータを用いて４個のすべてのアンテナからＳＲＳ送信を開始する。）（日本語の公報の【００５６】〜【００５９】を参照。）
エ．「[94] The SRS Activation IE and the CRC field do not depend on the number of UE transmitter antennas. The remaining IEs may apply per UE transmitter antenna to provide full flexibility. However, for more than one UE transmitter antenna, the total size of the UL SA DCI format configuring SRS transmissions may become larger than the one for scheduling data packet transmissions. Additionally, flexibility to configure independent SRS transmission parameters for each antenna is usually not needed. To avoid increasing the UL SA DCI format size for configuring SRS transmissions as the number of UE transmitter antennas increases, embodiments of the present invention consider several restrictions and simplifications.
[95] For SRS transmission from multiple UE antennas, the same BW for all antennas can be used. Therefore, embodiments of the present invention consider that the SRS transmission BW, the SRS starting BW location, the SRS hopping activation, and the  UL CC of SRS transmission are specified for one UE transmitter antenna and are the same for the remaining UE transmitter antennas.
[96] Alternatively, these SRS transmission parameters may be derived according to a predetermined rule relative to those specified through the UL SA DCI format for the reference transmitter antenna. For example, to support transmission antenna diversity when the transmissions from two UE antennas are correlated, the starting SRS transmission BW for the second antenna may be that which is furthest from the starting SRS transmission BW for the first antenna. Regardless of the exact relationship between the previous SRS parameters for the UE transmitter antennas, embodiments of the present invention consider that they are only signaled for one UE transmitter antenna.」
（当審訳：
［９４］“ＳＲＳ活性化”ＩＥ及びＣＲＣフィールドは、ＵＥ送信器アンテナの個数に基づいていない。残りのＩＥは、全体の柔軟性（flexibility）を提供するためにＵＥ送信器アンテナごとに適用され得る。しかしながら、１つ以上のＵＥ送信器アンテナにおいて、ＳＲＳ送信を構成するアップリンクＳＡ  ＤＣＩフォーマットの全サイズは、データパケット送信をスケジューリングするためのものよりさらに大きくなり得る。付加的に、各アンテナに対するＳＲＳ送信パラメータを独立して構成するための柔軟性は、通常必要としない。ＵＥ送信器アンテナの個数が増加するほどＳＲＳ送信を構成するためのアップリンクＳＡ  ＤＣＩフォーマットサイズの増加を防止するために、本発明の実施形態は、幾つかの制限及び簡素化を考慮する。
［９５］多重ＵＥアンテナからのＳＲＳ送信において、同一の帯域幅がすべてのアンテナに対して使用されることができる。したがって、本発明の実施形態は、ＳＲＳ送信帯域幅、ＳＲＳ開始帯域幅位置、ＳＲＳホッピング活性化、及びＳＲＳ送信のアップリンクＣＣは、１つのＵＥ送信器アンテナに対して特定され、残りのＵＥ送信器アンテナに対して同一である。
［９６］他の形態において、これらのＳＲＳ送信パラメータは、基準送信器アンテナに対してアップリンクＳＡ  ＤＣＩフォーマットを通して特定されたものに関連した所定のルールに従って誘導され得る。例えば、２つのＵＥアンテナからの送信が相関される場合に送信アンテナダイバーシティを支援するために、第２のアンテナに対する開始ＳＲＳ送信帯域幅は、第１のアンテナに対する開始ＳＲＳ送信帯域幅から最も遠く離れているものとなり得る。ＵＥ送信器アンテナに対する前のＳＲＳパラメータ間の正確な関係にかかわらず、本発明の実施形態は、これらが１つのＵＥ送信器アンテナに対してただシグナリングされるものと見なす。）（日本語の公報の【００７２】〜【００７４】を参照。）
オ．「[98] The previous restrictions in the SRS transmission parameters from multiple UE transmitter antennas may also apply if higher layer (MAC or RRC) signaling is used to configure these parameters and SRS activation is either immediate upon configuration or is enabled subsequently through a UL SA DCI format. Higher layer (MAC or RRC) signaling may only specify the SRS transmission parameters for one reference UE transmitter antenna and the SRS transmission parameters for the remaining UE transmitter antennas may be the same or derived in a predetermined manner from those for the reference UE transmitter antenna.」
（当審訳：
［９８］上位レイヤー（ＭＡＣ又はＲＲＣ）シグナリングがこれらのパラメータを構成するのに使用され、構成の時にＳＲＳ活性化が即座に又はアップリンクＳＡ  ＤＣＩフォーマットを通してその次にイネーブルされる場合に、多重ＵＥ送信器アンテナからＳＲＳ送信パラメータでの前の制限が適用され得る。上位レイヤー（ＭＡＣ又はＲＲＣ）シグナリングは、１つの基準ＵＥ送信器アンテナに対するＳＲＳ送信パラメータだけを特定することができ、残りのＵＥ送信器アンテナに対するＳＲＳ送信パラメータは、基準ＵＥ送信器アンテナに対するものと同一であるかこれらから所定の方式で誘導されることができる。）（日本語の公報の【００７６】を参照。）
　上記摘記事項イ．ウ．オ．によればＳＲＳ送信パラメータは上位レイヤーシグナリングを通して送られるもので、上記摘記事項ウ．の特に［７２］［７６］の記載によれば、事前にＵＥが受信したものと考えるのが自然である。また、上記摘記事項エ．オ．には、各アンテナに対応するＳＲＳ送信パラメータが共通する場合と、独立して構成される場合とが記載されている。しかしながら、ＳＲＳ送信パラメータがアンテナ毎に異なる場合が示唆されているとしても、ＳＲＳ送信パラメータにパラメータとしてアンテナに関するパラメータが含まれているかどうかは明らかではない。また上記摘記事項イ．には、ＳＲＳ送信パラメータにＳＲＳ　ＣＳ（循環シフト）が含まれることが示唆されている。
　上記摘記事項ウ．によれば、ＵＥにはアップリンクＳＡ  ＤＣＩフォーマットを用いて２ビットの“ＳＲＳ活性化”ＩＥを受信する構成があるといえる。
　上記摘記事項ウ．の特に表３および［７６］によれば、”ＳＲＳ活性化”ＩＥの値に応じて、ＳＲＳ送信が行われると言える。
　そして、上記摘記事項ウ．によれば、“ＳＲＳ活性化”ＩＥの値が００である場合に、ＳＲＳは活性化されない。０１である場合に、ＵＥは、事前に構成されたパラメータを用いてアンテナ１及びアンテナ２からＳＲＳ送信を開始する。値が１０である場合は、事前に構成されたパラメータを用いてアンテナ３及びアンテナ４からＳＲＳ送信を開始する。１１である場合は、ＵＥは、事前に構成されたパラメータを用いて４個のすべてのアンテナからＳＲＳ送信を開始する。
　そうすると、刊行物には、次の発明（以下、「引用発明」という。）が記載されていると認める。
（引用発明）
「　上位レイヤーシグナリングを通して、ＳＲＳ　ＣＳが含まれるＳＲＳ送信パラメータを事前に受信し、
　アップリンクＳＡ  ＤＣＩフォーマットを用いて２ビットの“ＳＲＳ活性化”ＩＥを受信する構成と、
　前記”ＳＲＳ活性化”ＩＥの値に応じて、ＳＲＳ送信する構成と、を備えており、
　前記ＳＲＳ送信する構成は、
　前記“ＳＲＳ活性化”ＩＥの値が００である場合に、ＳＲＳは活性化されず、０１である場合、事前に構成されたパラメータを用いてアンテナ１及びアンテナ２からＳＲＳ送信を開始し、１０である場合、事前に構成されたパラメータを用いてアンテナ３及びアンテナ４からＳＲＳ送信を開始し、１１である場合は、事前に構成されたパラメータを用いて４個のすべてのアンテナからＳＲＳ送信を開始する、
　ＵＥ。」
（２）対比
　本願発明を引用発明と対比すると、
　引用発明の「上位レイヤーシグナリング」「アンテナ」「ＳＲＳ　ＣＳ」は、本願発明の「上位層の信号」「アンテナポート」「サイクリックシフトに関するパラメータ」にそれぞれ対応する。
　引用発明の「ＳＲＳ送信パラメータ」は、本願発明の「サウンディング参照信号」に関するパラメータに対応するものの、本願発明のように「複数のパラメータセット」を形成しているのかどうかは明らかでない。
　引用発明における「アップリンクＳＡ  ＤＣＩフォーマット」は、本願発明の「下りリンク制御情報フォーマット」に対応する。そして、引用発明において「アップリンクＳＡ  ＤＣＩフォーマット」は、本願発明と同様に「物理下りリンク制御チャネル」を介して通信されると考えるのが自然である。また、引用発明において「アップリンクＳＡ  ＤＣＩフォーマット」を用いて伝送される「２ビットの“ＳＲＳ活性化”ＩＥの値」は、本願発明の「サウンディング参照信号リクエストフィールドの値」に対応する。
　引用発明では「前記“ＳＲＳ活性化”ＩＥの値が００である場合に、ＳＲＳは活性化されず、０１である場合、事前に構成されたパラメータを用いてアンテナ１及びアンテナ２からＳＲＳ送信を開始し、１０である場合、事前に構成されたパラメータを用いてアンテナ３及びアンテナ４からＳＲＳ送信を開始し、１１である場合は、事前に構成されたパラメータを用いて４個のすべてのアンテナからＳＲＳ送信を開始する」ように、「“ＳＲＳ活性化”ＩＥの値」に基づいて「ＳＲＳ」を送信しているといえ、ここで引用発明の「ＳＲＳ」は本願発明の「サウンディング参照信号」に相当する。
　また、引用発明の「ＵＥ」は本願発明の「移動局装置」に対応する。
　したがって、本願発明を引用発明と対比すると、以下の点で一致ないし相違するものと認められる。
（一致点）
「　上位層の信号を介して、サウンディング参照信号に関する、サイクリックシフトに関するパラメータを含むパラメータを受信し、
　物理下りリンク制御チャネルを介して、サウンディング参照信号リクエストフィールドを含む下りリンク制御情報フォーマットを受信する受信部と、
　前記サウンディング参照信号リクエストフィールドの値に基づくサウンディング参照信号を送信する送信部と、
　を備える、移動局装置。」
（相違点１）
　本願発明においては、移動局装置はサウンディング参照信号に関する、アンテナポートに関するパラメータを含む複数のパラメータセットを受信するのに対して、引用発明ではこのような複数のパラメータセットを受信しているか明示されていない点。
（相違点２）
　本願発明においては、「送信部は、前記サウンディング参照信号リクエストフィールドの値に基づいて、前記複数のパラメータセットのうちの１つを選択し、選択した前記複数のパラメータセットのうちの１つを用いて前記サウンディング参照信号を生成し」ているのに対して、引用発明ではサウンディング参照信号リクエストフィールドの値に対応する「パラメータセット」について明示されておらず、したがって「複数のパラメータセットのうちの１つを選択」する構成が記載されていない点。
（３）判断
　上記相違点１および２について合わせて検討する。
　引用発明には「ＳＲＳ送信パラメータ」が、アンテナポートに関するパラメータを含む複数のパラメータセットとして構成されることについては明示されておらず、また複数のパラメータセットとして構成すべき動機づけは見いだせない。
　また、本願発明では「前記サウンディング参照信号リクエストフィールドの値に基づいて、前記複数のパラメータセットのうちの１つを選択」することから、本願発明におけるパラメータセットは、サウンディング参照信号リクエストフィールドの値に一対一に対応するものと解されるが、そのようなパラメータセットについて刊行物に何ら示唆もなく、このようなパラメータセットを構成すべき動機づけがあるということもできない。
（４）小括
　したがって、本願発明は、引用発明と同一ではなく、また当業者が引用発明に基づいて容易に発明をすることができたとはいえない。
　また、本願の請求項４，７，８に係る発明は、本願発明同様の技術的特徴を有するものであるので、本願発明と同様に引用発明と同一ではなく、また当業者が引用発明に基づいて容易に発明をすることができたとはいえない。また本願の請求項２，３，５，６に係る発明は、本願の請求項１，４に係る発明の構成を更に特定した発明であるから、本願発明と同様の理由により、引用発明と同一ではなく、また当業者が引用発明に基づいて容易に発明をすることができたとはいえない。
　よって、原査定の理由によっては、本願を拒絶することはできない。
第４　当審拒絶理由について
　平成２８年１１月１７日付け当審拒絶理由の概要は、本願は、特許請求の範囲の記載が不備であり、特許法第３６条第６項第２号に規定する要件を満たしていないというものであるが、平成２９年１月１０日付け手続補正書によって、発明は明確となり、拒絶の理由は解消した。
第５　むすび
　以上のとおり、原査定の理由によっては、本願を拒絶することはできない。
　また、他に本願を拒絶すべき理由を発見しない。
　よって、結論のとおり審決する。